(57)【要約】【課題】文字板と指針を１つの光源で照明する。【解決手段】回路基板８０の表面に、円弧状に配置された指標部２５の延長線上の位置に設けた光源８２から文字板２０の裏面側へ向けて出射した光の一部を、第１光路変更部７０ａで進行方向を変更して、文字板２０上を回動する指針３０の回動中心である出力軸３２の近傍に備えられた光入射部から指針３０の内部に導光して指針３０を照明する。また、光源８２から文字板２０の裏面側へ向けて出射した光の一部を、第２光路変更部７０ｂで進行方向を変更して、回路基板８０の上部に当接するロアハウジング部５０ａの文字板２０に対向する面に備えられて、ロアハウジング部５０ａの上部表面に当接する文字板２０上の指標部２５に沿って延びる円弧状の導光用凹路５２の内部に導光して指標部２５を照明する。【選択図】図３
2015135269.tif 000002
【特許請求の範囲】
【請求項１】
円形状または部分円形状の指針回動領域の周縁に円弧状に配置された数値と目盛りとからなる透光性を有する指標部を備えた文字板と、
透光性を有して、前記指針回動領域に沿って軸心の周りを回動する指針と、
前記軸心の近傍に備えられて、前記指針の回動位置によらずに前記指針の内部に光を入射させる光入射部と、
前記文字板の裏面側に配置されたハウジングと、
前記ハウジングの前記文字板と対向する面に備えられて、前記指標部に沿って延びる円弧状の導光用凹路と、
前記ハウジングの底面側に当接して備えられた基板と、
前記基板の表面の、前記円弧状に配置された指標部の延長線上の位置に備えられて、前記文字板の裏面へ向けて光を出射する光源と、
前記光源から出射した光の進路を、前記光入射部に入射する向きに変更する第１光路変更部と、
前記光源から出射した光の進路を、前記導光用凹路に入射する向きに変更する第２光路変更部と、を有して、前記光源から出射した光によって、前記指標部と前記指針とを同時に照明することを特徴とする車両用計器の照明構造。
【請求項２】
前記第１光路変更部は、前記光源から出射した光を前記文字板の裏面と対向する方向へ向けて反射させる、前記ハウジングに設けられた下向反射面と、前記下向反射面によって反射された光を前記文字板の裏面側へ向けて反射させる、前記基板に設けられた上向反射面と、前記軸心に沿って前記軸心を取り囲むように備えられて前記上向反射面によって反射された光を、さらに前記光入射部へ向けて反射させる筒状反射面とを備えることを特徴とする請求項１に記載の車両用計器の照明構造。
【請求項３】
前記第１光路変更部は、前記光源から出射した光を前記文字板の裏面と対向する面へ向けて反射させる、前記ハウジングに設けられた凹状反射面と、前記軸心の近傍に、前記軸心を取り囲むように備えられて、前記凹状反射面によって反射された光を前記光入射部へ向けて反射させる、前記ハウジングに設けられたパラボラ状反射面とを備えることを特徴とする請求項１に記載の車両用計器の照明構造。
【請求項４】
前記第２光路変更部は、前記光源から出射した光を前記導光用凹路に向けて反射させる、少なくとも１つのドーム状反射面を備えることを特徴とする請求項１から請求項３のいずれか１項に記載の車両用計器の照明構造。
【請求項５】
前記導光用凹路の底面は、導光用凹路の奥に進むに従って前記文字板の裏面へ近づくスロープ状反射面をなすことを特徴とする請求項１から請求項４のいずれか１項に記載の車両用計器の照明構造。
【請求項６】
前記導光用凹路の底面の幅は、導光用凹路の奥に進むに従って狭くなることを特徴とする請求項５に記載の車両用計器の照明構造。
【請求項７】
前記文字板の表面上であって前記指針の回動領域の内側で、前記光源から出射した光が通過しない領域に、前記文字板の表面で発光する警告灯を設置することを特徴とする請求項１から請求項６のいずれか１項に記載の車両用計器の照明構造。
【発明の詳細な説明】
【技術分野】
【０００１】
この発明は、車両の速度計やタコメータ等の計器の照明に利用される車両用計器の照明構造に関するものである。
【背景技術】
【０００２】
車両に搭載された計器は、運転者に車両の状態を正しく伝えるために、車速やエンジン回転数などの車両状態を正確に表示して、なおかつ、視認性高く表示する必要がある。特に夜間においては、計器の目盛や数値からなる指標部と指針とを照明することによって、計器の視認性を高めている。（例えば、特許文献１，特許文献２）
【先行技術文献】
【特許文献】
【０００３】
【特許文献１】特開２０１３−１０４７０２号公報
【特許文献２】特開２００７−３３３５６８号公報
【発明の概要】
【発明が解決しようとする課題】
【０００４】
特許文献１に記載された車両用計器の照明構造によると、文字板の目盛りや数値が描かれた指標部の裏面側に、指針回動領域の外周縁部に沿って円弧状の導光凹部を設置して、光源収容部に収容された光源から出射した光を、ドーム状反射面によって反射させて導光凹部へ入射させ、導光凹部内を導光させることによって、文字板の指標部を裏面側から透過照明している。
【０００５】
また、特許文献２に記載された車両用指示計器の指針照明構造によると、指針本体の下面側の軸心近傍に点光源を設けて、この点光源から出射した光線を指針の内部に入光させて、入光した光を指針の延設方向に沿って導光することにより、指針を内部から透過照明していた。
【０００６】
しかしながら、特許文献１に記載された発明は文字板の指標部のみを照明する照明構造であり、特許文献２に記載された発明は指針のみを照明する照明構造であった。すなわち、車両用計器を照明するためには、一般に、文字板の指標部の照明を行う光源と指針の照明を行う光源が別に必要であった。そのため、部品点数が増加してコストが上昇するという問題があった。
【０００７】
本発明は上記事情に鑑みてなされたもので、文字板の指標部と、指針と、を一つの光源で照明することを目的とする。
【課題を解決するための手段】
【０００８】
本発明に係る車両用計器の照明構造は、一つの光源から出射した光によって、車両用計器の指針と指標部を同時に照明するものである。
【０００９】
すなわち、本発明に係る車両用計器の照明構造は、円形状または部分円形状の指針回動領域の周縁に円弧状に配置された数値と目盛りとからなる透光性を有する指標部を備えた文字板と、透光性を有して、前記指針回動領域に沿って軸心の周りを回動する指針と、前記軸心の近傍に備えられて、前記指針の回動位置によらずに前記指針の内部に光を入射させる光入射部と、前記文字板の裏面側に配置されたハウジングと、前記ハウジングの前記文字板と対向する面に備えられて、前記指標部に沿って延びる円弧状の導光用凹路と、前記ハウジングの底面側に当接して備えられた基板と、前記基板の表面の、前記円弧状に配置された指標部の延長線上の位置に備えられて、前記文字板の裏面へ向けて光を出射する光源と、前記光源から出射した光の進路を、前記光入射部に入射する向きに変更する第１光路変更部と、前記光源から出射した光の進路を、前記導光用凹路に入射する向きに変更する第２光路変更部と、を有して、前記光源から出射した光によって、前記指標部と前記指針とを同時に照明することを特徴とする。
【００１０】
このように構成された車両用計器の照明構造によれば、基板の表面に設けられた光源から文字板の裏面側へ向けて出射した光の一部は、第１光路変更部で進行方向を変更されて、文字板に印字された数値と目盛からなる指標部を指し示す指針の回動中心である軸心の近傍に備えられた光入射部から指針の内部に入射して、指針の内部で導光される。そして、指針の内部を導光された光によって、指針が照明される。
【００１１】
さらに、基板の表面の、円弧状に配置された指標部の延長線上の位置に設けられた光源から文字板の裏面側へ向けて出射した光の一部は、第２光路変更部で進行方向を変更されて、基板の上部に当接するハウジングの内部に備えられて、ハウジングの上部に当接する文字板上の指標部に沿って延びる円弧状の導光用凹路の内部で導光される。こうして導光用凹路の内部で導光された光によって、文字板の指標部が裏面側から透過照明される。このようにして、ひとつの光源で文字板の指標部と指針を同時に照明することができる。
【発明の効果】
【００１２】
本発明に係る車両用計器の照明構造によれば、文字板の指標部と指針を一つの光源で照明することができるため、部品点数の低減やコストの低減を図ることができるという効果が得られる。
【図面の簡単な説明】
【００１３】
【図１】本発明の実施例１に係る速度計の外観を示す正面図である。
【図２】本発明の実施例１に係る速度計の主要な構成部品を示す分解斜視図である。
【図３】（ａ）は本発明の実施例１に係る速度計を構成するロアハウジング部の上面図である。（ｂ）は図３（ａ）を切断線Ｘ１−Ｘ１で切った横断面図である。（ｃ）は図３（ａ）を切断線Ｙ１−Ｙ１で切った縦断面図である。
【図４】本発明の実施例１に係る速度計における文字板の指標部の照明構造と、指標部を照明する光線の挙動について説明するための導光用凹路に沿う断面図である。
【図５】本発明の実施例１に係る速度計における指針の照明構造と、指針を照明する光線の挙動について説明する、図１の速度計を切断線Ｙ２−Ｙ２で切った縦断面図である。
【図６】（ａ）は本発明の実施例２に係る速度計を構成するロアハウジングの斜視図である。（ｂ）は図６（ａ）を切断線Ｘ３−Ｘ３で切った横断面図である。（ｃ）は図６（ａ）を切断線Ｙ３−Ｙ３で切った縦断面図である。
【図７】本発明の実施例２に係る速度計における指針の照明構造を示す、速度計の断面図である。
【発明を実施するための形態】
【００１４】
以下、本発明の具体的な実施形態について、図面を参照して説明する。
【実施例１】
【００１５】
図１は、本発明の車両用計器の照明構造を適用した、車両の速度を表示する速度計１０ａの外観図である。この速度計１０ａは、図示しない車両の車室内において、運転者から視認される位置に設置されている。
【００１６】
速度計１０ａを構成する文字板２０の表面には、速度の数値と目盛りとからなる指標部２５が印刷されており、指針３０が回動して車両の車速に応じた値が指示される。
【００１７】
指標部２５は透光性を有しており、文字板２０の裏面から照射される照明光によって透過照明される。
【００１８】
指針３０は透光性を有しており、文字板２０の裏面から照射される照明光によって透過照明される。
【００１９】
また、文字板２０の表面には、エンジン異常等の車両に生じた異常や、半ドア警告等の操作ミスを報知する警告灯表示部４０ａ，４０ｂ，４０ｃが備えられている。
【００２０】
なお、指標部２５と指針３０は、例えばＬＥＤからなる同じ光源から照射された光によって同時に透過照明される。その照明構造については後述する。
［全体構成の説明］
【００２１】
次に、図２を用いて、速度計１０ａの全体構成を説明する。図２は、速度計１０ａの主要な構成部品を示す分解斜視図である。
【００２２】
速度計１０ａは、図２に示すように、指針３０と、指針３０の回動領域の周縁に円弧状に配置された指標部２５と警告灯表示部４０ａ，４０ｂ，４０ｃを有する文字板２０と、文字板２０の裏面側に当接されたロアハウジング部５０ａ（ハウジング）と、速度計１０ａの動作を制御する電子回路を構成する素子が実装された回路基板８０と、から構成される。  
【００２３】
ロアハウジング部５０ａは、指針３０の軸心であるステップモータの出力軸（非図示）が通る軸孔５４ａと、前記した警告灯表示部４０ａ，４０ｂ，４０ｃに照明光を導光する導光孔５６ａ，５６ｂ，５６ｃと、溝状の導光用凹路５２を有する。
【００２４】
導光用凹路５２は、図２に示すように、ロアハウジング部５０ａの表面を凹状に切り欠いた、平面視円弧形状をなす凹状溝をなしており、溝の底をなす底面５２ａと、溝の内周側面を形成する内周面５２ｂと、溝の外周側面を形成する外周面５２ｃと、指標部２５を照明するための照明光を入光する入光部５２ｄから形成されている。なお、導光用凹路５２の詳細な構造と作用については後述する。
【００２５】
回路基板８０には、速度計１０ａの動作を制御する電子回路を構成する回路素子の他に、円弧状に配置された指標部２５の延長線上の位置に、文字板２０の裏面へ向けて備えられた、指針３０と指標部２５を照明する照明光を出射する、ＬＥＤからなる光源８２と、車両の異常や操作ミス等を報知する、ＬＥＤからなる警告灯８４ａ，８４ｂ，８４ｃが実装されている。回路基板８０には、さらに、図２への図示は省略するが、指針３０を駆動するステップモータと、ステップモータの回転を制御するための制御回路等が実装されており、回路基板８０には指針３０を回動させるステップモータの駆動軸が通過する軸孔８６が開孔されている。
［文字板の照明構造の説明］
【００２６】
次に、図３（ａ）〜（ｃ）、および図４を用いて、前述した文字板２０の指標部２５を照明する照明構造について説明する。ロアハウジング部５０ａの文字板２０（図２参照）の裏面側に当接する面には、図３（ａ）に示すように、平面視円弧状に形成された凹溝状の導光用凹路５２が形成されている。この導光用凹路５２は、文字板２０に設けられた指標部２５（図２参照）の裏面側に備えられて、後述するように、光源８２から出射した光を、導光用凹路５２の両端に位置する入光部５２ｄ，５２ｄからそれぞれ入射させて、導光用凹路５２の内部で全反射させて、導光用凹路５２の奥に向かって導光させる。
【００２７】
導光用凹路５２の幅は、入光部５２ｄ，５２ｄの幅Ｗ０が最も広く、導光用凹路５２の奥に進むに従って幅Ｗ１が徐々に狭くなり、入光部５２ｄ，５２ｄから最も奥まで進んだ位置において、幅Ｗ２が最も狭くなるように形成されている。
【００２８】
図４は、図３（ａ）に示したロアハウジング部５０ａを導光用凹路５２に沿う切断線Ｚ１−Ｚ１で切断して、導光用凹路５２の約半分の領域を、ロアハウジング部５０ａの中心側から見た導光用凹路５２に沿う断面図である。
【００２９】
図４に示すように、導光用凹路５２の深さは、入光部５２ｄ，５２ｄの深さＤ０が最も深く、導光用凹路５２の奥に進むに従って深さＤ１が徐々に浅くなり、入光部５２ｄ，５２ｄから最も奥まで進んだ位置において、深さＤ２が最も浅くなるように、スロープ状に形成されている。
【００３０】
ロアハウジング部５０ａは、光の反射率や導光効率を向上するため、白色の樹脂などによって形成されるとともに、少なくとも導光用凹路５２を形成する底面５２ａと、内周面５２ｂと、外周面５２ｃと、は滑らかな面とされている。
【００３１】
ただし、ロアハウジング部５０ａは、少なくとも、導光用凹路５２の底面５２ａと、内周面５２ｂと、外周面５２ｃと、が光の反射層を有していれば、白色の樹脂以外の材質にしてもよい。
【００３２】
ロアハウジング部５０ａの入光部５２ｄ，５２ｄの近傍裏面側は、図３（ｂ），（ｃ）に示すように空洞５５になっている。そして、空洞５５の上面には、図３（ｂ）に示す第２光路変更部７０ｂが形成されている。この第２光路変更部７０ｂは、２つのドーム状反射面６０ａ，６０ｂからなり、回路基板８０の上に実装された光源８２（図３（ａ）参照）から出射した光線のうち、ドーム状反射面６０ａに到達した光が、図３（ｂ）左側の入光部５２ｄの内部に入射するように光の進路を変更する。また、ドーム状反射面６０ｂに到達した光が、図３（ｂ）右側の入光部５２ｄの内部に入射するように光の進路を変更する。このときの光線の挙動については後述する。
【００３３】
なお、図３（ｂ）に示すように、ドーム状反射面６０ａ，６０ｂ（第２光路変更部７０ｂ）の間の領域には下向反射面６０ｃが形成されている。この下向反射面６０ｃは、図３（ｃ）に示すように、導光用凹路５２の奥側（図３（ｃ）の左側）に向かって、ロアハウジング部５０ａの空洞５５の高さＨが、平面状または凹曲面状に増加する形状を有する反射面として形成される。そして、光源８２から出射した光は、この下向反射面６０ｃ上で反射して、回路基板８０の表面に向かう。このときの光線の挙動については後述する。
［文字板の指標部を照明する動作の説明］
【００３４】
次に、図４を用いて、文字板２０の指標部２５が照明される構造について説明する。具体的には、光源８２の中心位置である点Ｏ１から出射した光線のうち、ドーム状反射面６０ｂ上にある任意の点Ｐ１に到達する光線Ｓ１の挙動を例にあげて説明する。
【００３５】
ドーム状反射面６０ａ，６０ｂ（第２光路変更部７０ｂ）は、ロアハウジング部５０ａの空洞５５の上面に形成されて、光源８２から出射した光を高い反射率で反射するように、導光用凹路５２の底面５２ａ，内周面５２ｂ，外周面５２ｃと同様に白色の樹脂等で成形されている。そして、光源８２から出射した光を入光部５２ｄ，５２ｄに入射する方向に反射する。
【００３６】
すなわち、光線Ｓ１は点Ｐ１において、入射角と等しい出射角を有する方向に向かって正反射する。この正反射した光線は、入光部５２ｄから導光用凹路５２の内部に進入する。そして、点Ｐ２において導光用凹路５２の底面５２ａに突き当たる。なお、光源８２は、円弧状に配置された指標部２５の延長線上の位置に備えられているため、光源８２から出射した光線は、効率よく入光部５２ｄに入射する。
【００３７】
次に、光線Ｓ１は、底面５２ａにおいて、入射角と等しい出射角を有する方向に向かって正反射する。そして、文字板２０の裏面側に到達する。
【００３８】
このとき、光線Ｓ１が到達した点Ｐ３が、文字板２０に形成された指標部２５の領域であるときには、光線Ｓ１の一部は、導光用凹路５２を構成する空間と文字板２０との境界面で反射して導光用凹路５２をより奥まで導光するとともに、光線Ｓ１の残りは点Ｐ３で屈折して指標部２５の内部に進入する。そして、指標部２５の内部に進入した光線Ｓ１は、指標部２５を透過して、文字板２０の表面から外部に向けて出射する。これによって、外部から文字板２０を見たときに、指標部２５が透過照明されているように視認される。
【００３９】
なお、光線Ｓ１が導光用凹路５２を導光して、例えば点Ｐ５のように文字板２０の裏面側の指標部２５以外の点に到達したときは、光線Ｓ１は点Ｐ５で正反射して導光用凹路５２をより奥まで導光する。
【００４０】
導光用凹路５２は、前述したように、入光部５２ｄ，５２ｄから奥に進むにしたがって、深さが浅くなり、また、幅が狭くなるように形成されている。したがって、導光用凹路５２の奥に進むにしたがって、光の通り道が狭くなる。すなわち、光が導光されるにつれて減衰して光束が少なくなっても、単位面積当たりの光束の減少、すなわち光度の減少を防止することができる。これによって、導光用凹路５２の奥まで、光度を落とすことなく光を導光することができるため、文字板２０の外縁に亘って形成された指標部２５を、均一な明るさで透過照明することができる。
【００４１】
これに対して、仮に、導光用凹路５２を、入光部５２ｄ，５２ｄが有する深さＤ０と幅Ｗ０を保持した形状で形成した場合には、入光部５２ｄ，５２ｄから入射した光は、指標部２５における屈折や、文字板２０や指標部２５、または導光用凹路５２を形成する底面５２ａ，内周面５２ｂ，外周面５２ｃにおける反射によって減衰するため、導光用凹路５２の奥まで到達する光束は少なくなる。すると、導光用凹路５２の奥に設けた指標部２５から出射する光束が減少するため、入光部５２ｄ，５２ｄから遠くなるにしたがって、指標部２５の照明が暗くなってしまう。
［指針の照明構造の説明］
【００４２】
次に、図５を用いて指針３０の構造について説明する。図５は、図１に示した速度計１０ａを、切断線Ｙ２−Ｙ２で切った縦断面図である。
【００４３】
指針３０は、回路基板８０の裏面側に設置されたステップモータ等の駆動部からなるムーブメント８８から回転駆動力を出力する出力軸３２に取り付けられて、出力軸３２の周りに回動可能に設置されている。この出力軸３２は、回路基板８０に形成された軸孔８６とロアハウジング部５０ａに形成された軸孔５４ａと文字板２０に形成された軸孔２２を面直状態で貫通するように配置されている。
【００４４】
ロアハウジング部５０ａの内部には、第１光路変更部７０ａが形成されている。この第１光路変更部７０ａは、前述した下向反射面６０ｃと、回路基板８０のロアハウジング部５０ａに当接する側の表面に形成された、平面形状、または凹面形状を有する上向反射面６０ｄと、軸孔５４ａの内面に形成された筒状反射面５４ｒと、からなる。下向反射面６０ｃ，上向反射面６０ｄ、および筒状反射面５４ｒの領域は、ドーム状反射面６０ａ，６０ｂと同様に、光源８２から出射した光を高い反射率で反射する表面加工が施されている。
【００４５】
なお、筒状反射面５４ｒは、軸孔５４ａの内面とその形状を共にしている。そして、図５に示すように、出力軸３２を取り囲む軸孔５４ａのうち、上向反射面６０ｄで反射して軸孔５４ａの方向に向かう光線が到達する領域は開口されて開口領域５４ｐが形成されている。
【００４６】
第１光路変更部７０ａは、回路基板８０の上に実装された光源８２から出射した光線のうち、下向反射面６０ｃに到達した光の進路を、光入射部３０ｂに導いて、光線が指針３０の内部に入射するように変更する。この第１光路変更部７０ａの作用については後述する。
【００４７】
指針３０は、導光性を有する、無色または有色の透明な樹脂によって形成されている。そして、指針３０は、底面側に設けられた光入射部３０ｂから入射した光を指針３０の内部に導光させて、導光された光を外表面から外部に出射させることによって透過照明される。
［指針を照明する動作の説明］
【００４８】
再び図５を用いて、指針３０を照明する構造について、光源８２の中心位置である点Ｏ２から出射した光線のうち、下向反射面６０ｃ上にある任意の点Ｑ１に到達する光線Ｓ２の挙動を例にあげて説明する。
【００４９】
光線Ｓ２は点Ｑ１において、入射角と等しい出射角を有する方向に向かって正反射する。正反射した光線Ｓ２は、次に、回路基板８０の表面に形成された上向反射面６０ｄの点Ｑ２に到達する。そして、点Ｑ２において、入射角と等しい出射角を有する方向に向かって正反射して、出力軸３２の方向に向かう。
【００５０】
点Ｑ２において正反射した光線Ｓ２は、軸孔５４ａの内面に形成された開口領域５４ｐを通過して、軸孔５４ａの内面上に形成された筒状反射面５４ｒの点Ｑ３に到達する。
【００５１】
そして、軸孔５４ａの内面は、円筒面状に形成された筒状反射面５４ｒをなしている。そして、この筒状反射面５４ｒ上の点Ｑ３に到達した光線Ｓ２は、点Ｑ３において正反射して、軸孔５４ａ内を上方に向かう。その後、筒状反射面５４ｒの中で正反射を繰り返して（例えば、点Ｑ３で正反射した光線Ｓ２は、次に点Ｑ４で正反射して）上方に進行して、軸孔５４ａの上方端部から文字板２０に形成された軸孔２２に進入する。
【００５２】
軸孔２２の内面も反射面をなすように表面加工されており、軸孔２２を通過した光線Ｓ２、または軸孔２２の内面で反射した光線Ｓ２は、指針３０の底面側に形成された光入射部３０ｂから指針３０の内部に入射して、指針３０の内部を導光される。
【００５３】
指針３０の内部を導光された光線は、指針３０の底面３０ａにおいて全反射する。指針３０の底面３０ａには、ホットスタンプと呼ばれる印刷加工方法によって、例えば、反射率の高い白色層が印刷されている。そのため、指針３０の内部を導光された光線のうち、底面３０ａに達した光は、指針３０の内部に向けて反射される。
【００５４】
そして、指針３０の表側に到達した光線は、例えば点Ｒ１，Ｒ２から外部に出射して四方に拡散する。このとき、外部から指針３０を見ると、指針３０の全体が照明されているように視認される。
［警告灯の点灯構造の説明］
【００５５】
なお、本実施例にあっては、図７に示すように、回路基板８０の表面に、警告灯８４ｂ（８４ａ，８４ｃ（図２参照））が設置されている。これらの警告灯８４ｂ（８４ａ，８４ｃ）は、ＬＥＤからなり、警告灯８４ｂ（８４ａ，８４ｃ）が点灯すると、そこから出射した光は、ロアハウジング部５０ａに設けられた導光孔５６ｂ（５６ａ，５６ｃ（図２参照））の内部を通過して、文字板２０上の、指針３０の回動領域の内部に設けられた警告灯表示部４０ｂ（４０ａ，４０ｃ（図２参照））を透過して文字板２０の外部に出射する。これによって、外部から文字板２０を見たときに、警告灯表示部４０ｂ（４０ａ，４０ｃ（図２参照））が点灯しているように視認される。
【００５６】
このように、本実施例にあっては、指針３０を照明するための光源８２を、指標部２５を照明する光源８２と共用する構成としたため、指針３０を照明する光源を独立させて設ける必要がない。したがって、文字板２０の裏面側に、指針３０の回動領域に亘って広い空間を設けることができる。これによって、警告灯８４ｂ（８４ａ，８４ｃ）を、文字板２０上の、指針３０の回動領域の内側に自由に設置することができる。
【実施例２】
【００５７】
次に、本発明の別の実施形態である速度計１０ｂについて説明する。速度計１０ｂは、実施例１とは異なる、指針の照明構造を有している。
【００５８】
以下、図６（ａ）〜（ｃ），図７を用いて、速度計１０ｂの構造と作用を説明する。図６（ａ）〜（ｃ）は、速度計１０ｂを構成するロアハウジング部５０ｂの構造を示す図であり、図７は、図６（ａ）に示したロアハウジング部５０ｂを有する速度計１０ｂに、文字板２０（図１参照）と指針３０（図１参照）を設置した状態で、切断線Ｙ３−Ｙ３で切った縦断面図である。
【００５９】
速度計１０ｂは、実施例１で説明した速度計１０ａとほぼ同じ構成を有しており、ロアハウジング部５０ｂの構造のみが異なっている。ロアハウジング部５０ｂの表面には、図６（ａ）に示すように、平面視円弧状に形成された凹溝状の導光用凹路５２が形成されている。この導光用凹路５２は、実施例１で説明した通り、文字板２０に円弧状に配置された指標部２５（図２参照）の裏面側に備えられて、光源８２から出射した光を、導光用凹路５２の両端に位置する入光部５２ｄ，５２ｄからそれぞれ入射させて、導光用凹路５２の内部で全反射させて、導光用凹路５２の奥に向かって導光させる。
【００６０】
導光用凹路５２の構造、および、光源８２から出射した光が導光用凹路５２の内部を導光して文字板２０の指標部２５（図２参照）を照明する構造は、実施例１で説明した通りであるため、説明は省略する。
【００６１】
ロアハウジング部５０ｂの入光部５２ｄ，５２ｄの近傍裏面側は、図６（ｂ），（ｃ）に示すように空洞５５になっている。そして、空洞５５の上面には、図６（ｂ）に示す第２光路変更部７０ｂが形成されている。この第２光路変更部７０ｂは、実施例１で説明したのと同様な２つのドーム状反射面６０ａ，６０ｂからなる。
【００６２】
そして、図３（ｂ）に示すように、ドーム状反射面６０ａ，６０ｂ（第２光路変更部７０ｂ）の間の領域には凹状反射面６０ｅが形成されている。この凹状反射面６０ｅは、図６（ｃ）に示すように、導光用凹路５２の奥側（図６（ｃ）の左側）に向かって、ロアハウジング部５０ａの空洞５５の高さＨが、凹曲面状に滑らかに増加する形状を有する反射面として形成される。そして、光源８２から出射した光は、この凹状反射面６０ｅ上で反射して、回路基板８０の表面に向かう。このときの光線の挙動については後述する。
【００６３】
ロアハウジング部５０ｂの内部には、第１光路変更部７０ａが形成されている。この第２光路変更部７０ｂは、前述した凹状反射面６０ｅと、軸孔５４ｂの周囲に形成されたパラボラ形状（放物曲面）をなすパラボラ状反射面６０ｆと、からなる。凹状反射面６０ｅ、およびパラボラ状反射面６０ｆの領域は、ドーム状反射面６０ａ，６０ｂと同様に、光源８２から出射した光を高い反射率で反射する表面加工が施されている。
【００６４】
なお、パラボラ状反射面６０ｆは、後述する点Ｏ４（図７参照）を焦点として、ムーブメント８８の出力軸３２と平行な軸を有するように形成されて設置されている。
［指針を照明する動作の説明］
【００６５】
次に、図７を用いて指針３０を照明する動作について説明する。図７は、図６（ａ）〜（ｃ）に示した速度計１０ｂを構成するロアハウジング部５０ｂに文字板２０（図１参照）と指針３０（図１参照）を、図１に示した状態に設置して、図６（ａ）の切断線Ｙ３−Ｙ３で切った縦断面図である。図７において、光源８２の中心位置である点Ｏ３から出射した光線のうち、凹状反射面６０ｅ上にある任意の点Ｔ１に到達する光線Ｓ３と、凹状反射面６０ｅ上にある任意の点Ｔ３に到達する光線Ｓ４の挙動を例にあげて、順を追って説明する。
【００６６】
凹状反射面６０ｅは、ロアハウジング部５０ｂ内に形成された空洞５５の上面にあたる位置に形成されて、ドーム状反射面６０ａ，６０ｂと同様に、光源８２から出射した光を高い反射率で反射する表面加工が施されている。そして、光源８２から出射した光を回路基板８０に向かう方向に収束して反射される。
【００６７】
すなわち、光線Ｓ３は点Ｔ１において、入射角と等しい出射角を有する方向に向かって正反射し、光線Ｓ４は点Ｔ３において、入射角と等しい出射角を有する方向に向かって正反射する。そして、正反射した光線Ｓ３と光線Ｓ４は、点Ｏ４において交差して回路基板８０の方向に向かう。
【００６８】
点Ｏ４において交差した光線Ｓ３，Ｓ４は、発散しながら直進して、パラボラ状反射面６０ｆに到達する。このパラボラ状反射面６０ｆは、点Ｏ４を焦点とする軸外し放物面鏡として形成されている。すなわち、点Ｏ４を通る光線群を、パラボラ状反射面６０ｆの軸方向に向かう平行な光線群として反射する。
【００６９】
本実施例の場合、パラボラ状反射面６０ｆの軸はムーブメント８８の出力軸３２と平行に形成されており、点Ｏ４を通過した光線Ｓ３はパラボラ状反射面６０ｆ上の点Ｔ２で正反射して、ムーブメント８８の出力軸３２と平行な方向に進む。また、点Ｏ４を通過した光線Ｓ４はパラボラ状反射面６０ｆ上の点Ｔ４で正反射して、ムーブメント８８の出力軸３２と平行な方向に進む。
【００７０】
このようにして、パラボラ状反射面６０ｆで正反射した光線Ｓ３，Ｓ４は、出力軸３２と平行に直進して、文字板２０の軸孔２２を通過して、指針３０の底面側に形成された光入射部３０ｂから指針３０の内部に入射して、指針３０の内部を導光される。
【００７１】
指針３０の内部を導光された光線は、指針３０の底面３０ａにおいて全反射する。指針３０の底面３０ａには、ホットスタンプと呼ばれる印刷加工方法によって、例えば、反射率の高い白色層が印刷されている。そのため、指針３０の内部を導光された光線のうち、底面３０ａに達した光は、指針３０の内部に向けて反射される。
【００７２】
そして、指針３０の表側に到達した光線は、例えば点Ｒ３，Ｒ４から外部に出射して四方に拡散する。このとき、外部から指針３０を見ると、指針３０の全体が照明されているように視認される。
【００７３】
以上、説明したように、実施例１に係る速度計１０ａ（車両用計器）によれば、回路基板８０（基板）の表面に、円弧状に配置された指標部２５の延長線上の位置に設けられた光源８２から文字板２０の裏面側へ向けて出射した光の一部は、第１光路変更部７０ａで進行方向を変更されて、文字板２０に印字された数値と目盛からなる指標部２５を指し示す指針３０の回動中心である出力軸３２（軸心）の近傍に備えられた光入射部から指針３０の内部に導光される。そして、指針３０の内部を導光された光によって、指針３０が照明される。
【００７４】
さらに、回路基板８０（基板）の表面に、円弧状に配置された指標部２５の延長線上の位置に設けられた光源８２から文字板２０の裏面側へ向けて出射した光の一部は、第２光路変更部７０ｂで進行方向を変更されて、回路基板８０（基板）の上部に当接するロアハウジング部５０ａ（ハウジング）の文字板２０に対向する面に備えられて、ロアハウジング部５０ａ（ハウジング）の上部表面に当接する文字板２０上の指標部２５に沿って延びる円弧状の導光用凹路５２の内部に導光される。こうして導光用凹路５２の内部に導光された光によって、文字板２０の指標部２５が裏面側から透過照明される。このようにして、ひとつの光源８２で文字板２０の指標部２５と指針３０を同時に照明することができる。
【００７５】
また、実施例１に係る速度計１０ａ（車両用計器）によれば、第１光路変更部７０ａは、光源８２から出射した光を文字板２０の裏面と対向する方向へ向けて反射させる、ロアハウジング部５０ａ（ハウジング）に設けられた下向反射面６０ｃと、下向反射面６０ｃによって反射された光を文字板２０の裏面側へ向けて反射させる、回路基板８０（基板）に設けられた上向反射面６０ｄと、出力軸３２（軸心）を取り囲むように備えられて上向反射面６０ｄによって反射された光を光入射部３０ｂへ向けて反射させる、ロアハウジング部５０ａ（ハウジング）の軸孔５４ｂの内面に、出力軸３２（軸心）に沿って出力軸３２（軸心）を取り囲むように設けられた筒状反射面５４ｒを備えるため、簡単な反射面構造によって指針３０を照明することができる。
【００７６】
また、実施例１に係る速度計１０ａ（車両用計器）によれば、第２光路変更部７０ｂは、光源８２から出射した光を導光用凹路５２に向けて反射させる、少なくとも１つのドーム状反射面６０ａ（６０ｂ）を備えるため、簡単な反射面構造によって指標部２５を照明することができる。
【００７７】
また、実施例１に係る速度計１０ａ（車両用計器）によれば、導光用凹路５２の底面５２ａは、導光用凹路５２の奥に進むに従って、深さＤ０，Ｄ１，Ｄ２が浅くなる、すなわち、文字板２０の裏面へ近づくスロープ状反射面をなすため、導光用凹路５２の奥まで、光度を落とすことなく光を導光することができ、文字板２０の外縁に亘って形成された指標部２５を、均一な明るさで透過照明することができる。
【００７８】
また、実施例１に係る速度計１０ａ（車両用計器）によれば、導光用凹路５２の底面５２ａの幅Ｗ０，Ｗ１，Ｗ２は、導光用凹路５２の奥に進むに従って狭くなるため、光度を落とすことなく光を導光することができ、文字板２０の外縁に亘って形成された指標部２５を均一な明るさで透過照明することができる。
【００７９】
また、実施例１に係る速度計１０ａ（車両用計器）によれば、文字板２０の表面上であって、指針３０の回動領域の内側で、光源８２から出射した光が通過しない領域に、文字板２０の表面で発光する警告灯８４ａ，８４ｂ，８４ｃを設置するため、ロアハウジング部５０ａ（ハウジング）の内部の指針３０の回動領域の内側に、指標部２５と指針３０を照明する照明光の光路と干渉することなく、警告灯８４ａ，８４ｂ，８４ｃを自由に設置することができる。
【００８０】
また、実施例２に係る速度計１０ｂ（車両用計器）によれば、第１光路変更部７０ａは、光源８２から出射した光を文字板２０の裏面と対向する方向へ向けて反射させる、ロアハウジング部５０ａ（ハウジング）に設けられた凹状反射面６０ｅと、出力軸３２（軸心）の近傍に、出力軸３２（軸心）を取り囲むように備えられて凹状反射面６０ｅによって反射された光を光入射部３０ｂへ向けて反射させる、ロアハウジング部５０ａ（ハウジング）に設けられたパラボラ状反射面６０ｆを備えるため、より一層簡単な反射面構造によって指針３０を照明することができる。
【００８１】
なお、以上説明した実施例１，実施例２では、車両用計器の例として速度計１０ａ，１０ｂを例にあげて説明したが、本発明が適用される車両用計器は、透過照明される文字板の指標部と指針を有してさえいれば、速度計に限定されるものではない。
【００８２】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【符号の説明】
【００８３】
１０ａ  速度計（車両用計器）
５０ａ  ロアハウジング部
５２  導光用凹路
５２ａ  底面
５２ｂ  内周面
５２ｃ  外周面
５２ｄ  入光部
６０ａ，６０ｂ  ドーム状反射面
７０ｂ  第２光路変更部
６０ｃ  下向反射面
６０ｄ  上向反射面
５４ｒ  筒状反射面
７０ａ  第１光路変更部
８２  光源
【図１】
2015135269.tif 000003
【図２】
2015135269.tif 000004
【図３】
2015135269.tif 000005
【図４】
2015135269.tif 000006
【図５】
2015135269.tif 000007
【図６】
2015135269.tif 000008
【図７】
2015135269.tif 000009